(57)【要約】  シングルキャリア無線装置及びマルチキャリア無線装置の双方に信号シーケンスのパケットプリアンブルを送信する方法、無線通信システム及び無線通信装置が開示される。パケットプリアンブルは、信号を検出するための第1のシーケンスと、チャネルを推定するための第2のシーケンスとを含む。
2011530869.tif 000002
【特許請求の範囲】
【請求項１】
シングルキャリア方式の無線装置及びマルチキャリア方式の無線装置の双方に信号シーケンスのパケットプリアンブルを送信するステップを有する方法であって、前記パケットプリアンブルは、信号を検出するために使用される第1のシーケンス及びチャネルを推定するための第2のシーケンスを少なくとも含む、方法。
【請求項２】
前記パケットプリアンブルを送信するステップにおいて、所望の相互相関特性を有するシーケンスの反復により前記第1のシーケンスを生成する、請求項1記載の方法。
【請求項３】
前記第1のシーケンスを生成する際に、擬似ランダムシーケンスを用いて前記第1のシーケンスを生成する、請求項2記載の方法。
【請求項４】
前記第1のシーケンスを生成する際に、ベーカー（Baker）コードを用いて前記第1のシーケンスを生成する、請求項2記載の方法。
【請求項５】
前記パケットプリアンブルを送信するステップにおいて、送信機の変調方式を検出及び選択するための第3のシーケンスを送信し、該第3のシーケンスは、前記第1のシーケンスの後であって前記第2のシーケンスの前に送信される、請求項1記載の方法
【請求項６】
前記第3のシーケンスを送信する場合に、前記第1のシーケンスの反転により前記第3のシーケンスを生成する、請求項5記載の方法。
【請求項７】
前記第1、第2及び第3のシーケンスを、π／2バイナリシフトキーイング（BPSK）変調方式により変調するステップをさらに有する請求項5記載の方法。
【請求項８】
前記第1、第2及び第3のシーケンスのうちの少なくとも1つを、パルス整形フィルタによりフィルタリングするステップをさらに有する請求項5記載の方法。
【請求項９】
パケットプリアンブルを送信するステップにおいて、
2つのサンプルの間にゼロを2つ加え、
前記第1及び第2のシーケンスをデシメーションフィルタによりフィルタリングし、
前記第1及び第2のシーケンスを1秒毎にサンプリングし、サンプルを2の因子によりデシメートする、請求項1記載の方法。
【請求項１０】
前記パケットプリアンブルをマルチキャリア変調方式にしたがって送信する、請求項9記載の方法。
【請求項１１】
前記パケットプリアンブルをシングルキャリア変調方式にしたがって送信する、請求項8記載の方法。
【請求項１２】
シングルキャリアの受信方式により又はマルチキャリアの受信方式により前記パケットプリアンブルを受信するステップを有する、請求項1記載の方法。
【請求項１３】
シングルキャリア方式の無線装置及びマルチキャリア方式の無線装置の双方に信号シーケンスのパケットプリアンブルを送信する送信部を有する無線通信装置であって、前記パケットプリアンブルは、信号を検出するために使用される第1のシーケンス及びチャネルを推定するための第2のシーケンスを含む、無線通信装置。
【請求項１４】
前記送信部が、送信部の変調方式を検出及び選択するための第3のシーケンスを送信し、該第3のシーケンスは、前記第1のシーケンスの後であって前記第2のシーケンスの前に送信される、請求項13記載の無線通信装置。
【請求項１５】
相互相関シーケンスの反復により前記第1のシーケンスを生成し、相補的シーケンスのペアにより前記第2のシーケンスを生成し、前記第1のシーケンスを反転することで前記第3のシーケンスを生成する、請求項14記載の無線通信装置。
【請求項１６】
前記第1のシーケンスが擬似ランダムシーケンスを含む、請求項13記載の無線通信装置。
【請求項１７】
前記第1のシーケンスが、ベーカー（Baker）コードシーケンスを含む、請求項13記載の無線通信装置。
【請求項１８】
前記第1、第2及び第3のシーケンスを、π／2バイナリシフトキーイング（BPSK）変調方式により変調する変調部をさらに有する請求項14記載の無線通信装置。
【請求項１９】
前記第1、第2及び第3のシーケンスのうちの少なくとも1つをフィルタリングする整形フィルタをさらに有する請求項14記載の無線通信装置。
【請求項２０】
当該無線通信装置がディジタル信号プロセッサを有し、該ディジタル信号プロセッサにより、
2つのサンプルの間にゼロを2つ加えることで、前記パケットプリアンブルの前記第1、第2及び第3のシーケンスを処理し、
前記第1、第2及び第3のシーケンスをデシメーションフィルタによりフィルタリングし、
前記第1及、第2及び第3のシーケンスを1サンプルおきにサンプリングし、サンプルを2の因子によりデシメートする、請求項14記載の無線通信装置。
【請求項２１】
前記変調部が、マルチキャリア変調方式により前記パケットプリアンブルを変調することができる、請求項18記載の無線通信装置。
【請求項２２】
前記変調部が、シングルキャリア変調方式により前記パケットプリアンブルを変調することができる、請求項18記載の無線通信装置。
【請求項２３】
シングルキャリア方式又はマルチキャリア方式により前記パケットプリアンブルを受信する受信部と、
前記第1、第2及び第3のシーケンスをデコードするデコーダと
を有する請求項14記載の無線通信装置。
【請求項２４】
2つ以上の通信局を有する無線通信システムであって、前記通信局は、シングルキャリア方式の無線装置及びマルチキャリア方式の無線装置の双方に信号シーケンスのパケットプリアンブルを送信する送信部を有し、前記パケットプリアンブルは、信号を検出するために使用される第1のシーケンス及びチャネルを推定するための第2のシーケンスを少なくとも含む、無線通信システム。
【請求項２５】
前記送信部が、送信部の変調方式を検出及び選択するための第3のシーケンスを送信し、該第3のシーケンスは、前記第1のシーケンスの後であって前記第2のシーケンスの前に送信される、請求項24記載の無線通信システム。
【請求項２６】
相互相関シーケンスの反復により前記第1のシーケンスを生成し、相補的シーケンスのペアにより前記第2のシーケンスを生成し、前記第1のシーケンスを反転することで前記第3のシーケンスを生成する、請求項25記載の無線通信システム。
【請求項２７】
前記第1のシーケンスが擬似ランダムシーケンスを含む、請求項24記載の無線通信システム。
【請求項２８】
前記第1のシーケンスが、ベーカー（Baker）コードシーケンスを含む、請求項24記載の無線通信システム。
【請求項２９】
前記通信局が、前記第1、第2及び第3のシーケンスを、π／2バイナリシフトキーイング（BPSK）変調方式により変調する変調部をさらに有する、請求項25記載の無線通信システム。
【請求項３０】
前記基地局が、前記第1、第2及び第3のシーケンスのうちの少なくとも1つをフィルタリングする整形フィルタをさらに有する請求項25記載の無線通信システム。
【請求項３１】
前記通信局が、
2つのサンプルの間にゼロを2つ加えることで、前記パケットプリアンブルの前記第1、第2及び第3のシーケンスを処理するためのディジタル信号プロセッサを有し、
前記第1、第2及び第3のシーケンスをデシメーションフィルタによりフィルタリングし、
前記第1及、第2及び第3のシーケンスを1サンプルおきにサンプリングし、サンプルを2の因子によりデシメートする、請求項25記載の無線通信システム。
【請求項３２】
前記変調部が、マルチキャリア変調方式により前記パケットプリアンブルを変調することができる、請求項29記載の無線通信システム。
【請求項３３】
前記変調部が、シングルキャリア変調方式により前記パケットプリアンブルを変調することができる、請求項18記載の無線通信システム。
【請求項３４】
前記通信局が、
シングルキャリア方式又はマルチキャリア方式により前記パケットプリアンブルを受信する受信部と、
前記第1、第2及び第3のシーケンスをデコードするデコーダと
を有する請求項25記載の無線通信システム。
【発明の詳細な説明】
【技術分野】
【０００１】
本発明は、送信方法、無線通信装置及び無線通信システムに関連する。
【背景技術】
【０００２】
パーソナル無線エリアネットワーク（WPAN）は、人の近くにあるコンピュータ装置（例えば、電話及びパーソナルディジタルアシスタントのような携帯装置）の間の通信に使用されるネットワークである（装置はその人に帰属していてもいなくてもよい）。WPANの通信範囲は数メートルである場合がある。WPANは、個人的な装置同士の間における個人間の通信に使用されるかもしれないし、あるいはアップリンクを介して例えばインターネットのような上位レベルのネットワークに接続するために使用されるかもしれない。
【０００３】
西暦2005年3月にIEEE802．15．3タスクグループ3c（TG3c）が設立された。TG3cは、例えばIEEE802．15．3−2003のような既存の802．15．3の無線パーソナルエリアネットワーク（WPAN）標準仕様に対する、ミリ波（mm波）に基づく代替的な物理レイヤ（PHY）を発展させている。このmm波WPANは、FCC47CFR15．255及びその他の規制団体により規定されている57−64GHzのライセンスされていないバンドを含むバンドで動作し、「60GHz」と言及される。ミリメートル波長のWPANは、（例えば、毎秒2ギガビット（2Gbps）を超えるような）非常に高いデータレートのアプリケーションを可能にし、例えばそのようアプリケーションは、高速インターネットアクセス、ストリーミングコンテンツのダウンロード（例えば、オンデマンドによるビデオ、高解像度テレビジョン（HDTV）、ホームシアタ等における信号）、リアルタイムストリーミング、及び無線データバス等であり、従来のケーブルの代替となり得る。
【先行技術文献】
【特許文献】
【０００４】
【特許文献１】米国特許出願公開第2007−0248175号明細書
【発明の概要】
【発明が解決しようとする課題】
【０００５】
しかしながら、mm波通信リンクは、フリース（Friss）伝送方程式、酸素吸収性及び障害物による大きな減衰等に起因して、低い周波数（例えば、2．4GHz及び5GHzバンド）において動作する場合よりも極めてロバスト性（robust）が弱い。さらに、mm波通信リンクは、通信範囲を広げるために指向性アンテナ及び／又はアンテナアレイを使用する。指向性アンテナを使用すると、通信リンクはユーザの移動に対して非常に敏感になってしまう。例えば、装置の指向方向における僅かな変化や、近くの障害物及び／又は人物の動きにより、リンクが途絶えてしまうかもしれない。
【０００６】
60GHz通信の標準仕様は、直交周波数分割多重化（OFDM）及びシングルキャリア（SC）物理レイヤの双方を使用しようとしている。現在、ある標準仕様ではOFDM及びSCのうちの一方のみが必須であり、別の標準仕様ではOFDMもSCも何れも必須でない。OFDM及びSCの双方を使用するシステムの場合、多くの時間差プリアンブルが変調方式の各々に使用されている。  
【課題を解決するための手段】
【０００７】
一実施例による方法は、
シングルキャリア方式の無線装置及びマルチキャリア方式の無線装置の双方に信号シーケンスのパケットプリアンブルを送信するステップを有する方法であって、前記パケットプリアンブルは、信号を検出するために使用される第1のシーケンス及びチャネルを推定するための第2のシーケンスを少なくとも含む、方法である。
【図面の簡単な説明】
【０００８】
【図１】本発明の一実施例による無線通信ネットワークの概略図。
【図２】本発明の一実施例によるパケットプリアンブルの概略図。
【図３】本発明の一実施例による無線通信装置のブロック図。
【図４】本発明の一実施例によりパケットプリアンブルを送信する方法のフローチャート。
【図５】本発明の一実施例によるシステムのブロック図。
【発明を実施するための形態】
【０００９】
以下、本願発明である開示内容が具体的に説明され、本発明は本明細書とともに願書に添付した特許請求の範囲に記載されている。しかしながら、本発明の対象、特徴及び利点とともに構成及び動作方法の双方に関し、本発明は、添付図面とともに以下の詳細な説明を読むことで最良に理解できる。
【００１０】
説明の簡明化のため、図面に示されている要素は必ずしも寸法を描いているものではないことが、認められるであろう。例えば、ある要素の寸法は、明確化のために他の要素に比較して誇張されているかもしれない。さらに、適切であると認められる場合、対応する又は類似する要素であることを示すために、複数の図面において参照番号が反復的に使用されている。
【００１１】
以下の詳細な説明において、本発明の十分な理解を促すために、多くの具体的な詳細が説明される。しかしながら、当業者は、そのような具体的な詳細によらずに本発明が実現されてもよいことを認めるであろう。さらに、本発明を曖昧にしないように、従来の方法、手順、部分、要素及び回路は詳細には説明されていない。
【００１２】
以下に続く詳細な説明の一部は、コンピュータメモリにおけるデータビット又はバイナリディジタル信号に対する処理のアルゴリズム又は記号表現の観点から表される。これらの記述及び表現は、当業者が彼らの仕事（作品）を他の者に伝えるために当業者が使用している方法である。
【００１３】
別段の断りがない限り、以下の説明から明らかであるように、本明細書において、「処理」、「演算」、「計算」、「決定」等の用語を用いた説明は、コンピュータ又はコンピュータシステム又は同様な電子コンピュータ装置における動作及び／又は処理に関連することが認められるであろう。そのコンピュータ等は、コンピュータシステムのレジスタ又はメモリ内の電子のような物理量を処理し、その物理量を、コンピュータ装置のメモリ、レジスタ又は他のそのような情報ストレージあるいは伝送装置における物理量として同様に表現される他のデータに変換するものである。本願において使用される「ある」又は「或る」という用語は、1つ又は1つより多いものとして定義される。本願において使用される複数という用語は、2つ又は2つより多いものとして定義される。本願において使用される他（another）という用語は、少なくとも第2の又はそれ以上のものとして定義される。本願において使用される含む及び／又は有するという用語は、例えば有することを含むがこれに限定されない。本願において使用される結合されたという用語は、例えば、機械的に、電子的に、ディジタル的に、直接的に、ソフトウェアにより又はハードウェア等により動作可能に接続された所望の任意の形態として規定される。
【００１４】
本発明は様々なアプリケーションに使用されてもよいことが理解されるべきである。本発明は実施例に限定されないが、本願において説明された回路及び技法は、無線システムの通信局（station）のような多くのアプリケーションに使用されてもよい。本発明の範囲に含まれるように意図されている通信局は、単なる一例として、無線ローカルエリアネットワーク（WLAN）の通信局、無銭パーソナルネットワーク（WPAN）の通信局等を含む。
【００１５】
本発明の範囲内に含まれるように意図されているWPAN通信局の種類は、移動局、アクセスポイント、信号を受信及び送信する通信局等であるが、これらに限定されず、その信号は、例えば、拡散スペクトル信号、周波数ホッピング拡散スペクトル（FHSS）信号、直接シーケンス拡散スペクトル（DSSS）信号、相補コードキーイング（CCK）信号、直交周波数分割多重（OFDM）信号等であるがこれらに限定されない。
【実施例１】
【００１６】
図1を参照するに、本発明の一実施例による無線通信ネットワーク100の概略図が示されている。無線通信ネットワーク100は、例えば、WPAN／WLANを含む。例えば、無線通信ネットワーク100は、IEEE802．11タスクグループad（TGad）により規定されている標準仕様にしたがって動作する。TGadは、WLANの60GHzバンドにおける超高速スループットを実現するために規定されたものである。
【００１７】
本発明の一実施例によれば、例えばWPANである無線通信ネットワーク100は、通信局120、130、140を含む。通信局120、130、140はそれぞれ例えばDEV1、DEV2、DEV3のように装置（DEV）として表現されている。本発明の範囲はこれに限定されないが、通信局120、130、140は、カメラ、マウス、イヤホン、スピーカ、ディスプレイ、モバイルパーソナル装置等を含んでもよい。さらに、DEV1、DEV2、DEV3の各々は、必要に応じて、他のWPANの一部をなしていてもよい。
【００１８】
本発明の一実施例によれば、DEV1−130及びDEV2−120は、必要に応じて、直接リンクを通じてOFDM信号及び／又はシングルキャリア（SC）信号を送信及び受信する。本発明の一実施例によれば、直接リンクは、他の装置及び／又は基地局及び／又はネットワークコントローラ等を介在しない、2つの装置の間の無線リンクである。例えば、DEV3−140は、直接リンク160を通じて、複数のシーケンスを含むパケットプリアングル（packet  preamble）をDEV1−130に送信する。DEV1−130は、必要に応じて、直接リンク150を通じてプリアンブルパケットをDEV2−120に送信する。
【００１９】
本発明の少なくとも1つの実施例によれば、同じプリアンブルパケットが、送信されかつSC装置及び（例えば、OFDMのような）マルチキャリア装置の双方によって検出されるが、本発明の範囲はこの形態に限定されない。
【００２０】
図2を参照するに、本発明の一実施例によるパケットプリアンブルの概略図が示されている。本発明の一実施例によれば、パケットプリアンブル200が、必要に応じて、マルチキャリア方式の通信及びSC方式の通信の双方に（例えば、OFDM及びSC方式の通信双方に）使用される。一実施例によれば、パケットプリアンブル200は検出フィールド210、同期フィールド（SFD）220及びチャネル推定フィールド230を含む。
【００２１】
本発明の一実施例によれば、パケット200のプリアンブル部分は、自動利得制御（AGC）、信号検出、周波数オフセット推定、同期及びチャネル推定に使用される。検出、AGC及び周波数オフセット推定（frequency  offset  estimation：FOE）は周期的なシーケンスにより行われてもよい。一実施例によれば、パケット200は、SC受信機により使用されるπ／2−BPSKシーケンスに基づいていてもよい。
【００２２】
例えば、検出フィールド210は、良好な相互相関特性を伴うシーケンスの反復により形成されていてもよい。一実施例において、所望の相互相関特性を伴うシーケンスは、そのシーケンスとの（周期的な又は非周期的な）相互相関が大きなピークを有しかつそのピークの近辺で多くのゼロを有するようなシーケンスとして規定される。所望の相関特性を有するシーケンスの非限定的な具体例は、擬似乱数（PN）シーケンス、相補的ゴレイ（complementary  Golay）シーケンス、バーカーコード（barker  codes）、定振幅ゼロ自己相関（Constant  Amplitude  Zero  Auto  Correlation：CAZAC）シーケンス等である。SFD220は、送信された変調方式を検出及び選択するために使用されるシーケンスを含む。例えば、これらのシーケンス群の検出又は変調に使用されるシーケンスを反転したものが使用されてもよい。
【００２３】
本発明の一実施例において、SFD220は省略されてもよく、その場合の処理はチャネル推定フィールド230により実行されてもよい。チャネル推定フィールド230は、ロングPNシーケンス又は一対の相補（Golay）シーケンスの何れかを含むシーケンスを含んでもよいが、本発明の範囲はこの形態に限定されない。
【００２４】
本発明の一実施例によれば、信号シーケンスのプリアンブルパケット200は、シングルキャリアの無線装置及びマルチキャリアの無線装置の双方に送信される。一例として、プリアンブルパケットは、信号を検出するための第1のシーケンス（例えば、検出フィールドのシーケンス）、送信機の変調方式を検出及び選択するための第2のシーケンス（例えば、SFD220のシーケンス）、及びチャネルを推定するための第3のシーケンス（例えば、チャネル推定フィールド230のシーケンス）を含む。第1、第2及び第3のシーケンスは、必要に応じて、π／2−バイナリシフトキーイング（BPSK）変調方式により変調される。本発明の他の実施例において他の変調方式が使用されてもよいことが理解されるべきである。
【００２５】
本発明の一実施例によれば、プリアンブルパケット200はSC送信機により送信される。この場合、第1のシーケンス、第2のシーケンス及び第3のシーケンスは、パルス整形フィルタによりフィルタリングされる。本発明の別の実施例において、プリアンブルパケット200は例えばOFDM送信機のようなマルチキャリア送信機により送信される。この場合、第1、第2及び第3のシーケンスは、例えば以下の数式により規定されているような受信機にとって既知のフィルタによりサンプリングし直される。
【００２６】
先ず1番目に、第1、第2及び第3のシーケンスが、以下の数式にしたがってサンプリングされる：
【００２７】
【数１】
2011530869.tif 000003
これは、各サンプルの後にゼロを2つ加えることで実現される。2番目に、第1、第2及び第3のシーケンスは、受信機にとって既知のフィルタによりフィルタリングされ、例えば、以下の数式により示されているようなデシメーションフィルタ（decimation  filter）によりフィルタリングされる（他の数式が使用されてもよい）：
【００２８】
【数２】
2011530869.tif 000004
3番目に、以下の数式に示されているように2の因子によりサンプル1つおきにとることで、第1、第2及び第3のシーケンスについてデシメーションが実行される：
【００２９】
【数３】
2011530869.tif 000005
ディジタル処理の技術分野において、「デシメーション（decimation）」及びその派生語は、離散的な時間信号及び／又はシーケンスにおけるサンプル数を減らす技術として定義されている。デシメーションは、信号のローパスアンチエイリアシングフィルタリング（low−pass  anti−aliasing  filtering）及びダウンサンプリングを含むが、本発明の範囲はそのような形態に限定されない。
【００３０】
この例において、OFDM（公称）サンプリングレートは、SCのチップレートの1  1／2であり、OFDMデータサブキャリアに関するガードバンドを提供する。上記の方法は、OFDMサンプルレート及びSCチップレートの他の比率についても使用可能である。受信機において、検出は、自己相関及び相互相関の方法を組み合わせることで実行される。必要に応じて、mシーケンス（PNシーケンス）及び相補（Golay）シーケンスについて、相関を計算するのに効率的なアルゴリズムが存在する。
【００３１】
必要に応じて、プリアンブルパケットを受信することは、シングルキャリア受信方式又はマルチキャリア受信方式の何れかにより実行されもよいが、本発明の範囲は特定の形態に限定されない。SC及びOFDMの双方で動作することが可能な受信機は、プリアンブルパケットを受信し、第1、第2及び第3のシーケンスをデコード（復号）する。
【００３２】
図3を参照するに、本発明の一実施例による無線通信装置のブロック図が示されている。この例の場合、無線通信装置300は、シーケンス生成部310、ディジタル信号プロセッサ（DSP）320、整形フィルタ330、変復調調器340、受信部（RX）360、送信部（TX）370及び複数のアンテナ380、390を含む。
【００３３】
本発明の一実施例において、RX360及びTX370は、多入力多出力（MIMO）方式の送受信システム（図示せず）の一部をなす。本実施例によれば、RX360及びTX370は2つ以上の受信機及び2つ以上の送信機をそれぞれ有するが、アンテナ380及び390は複数のアンテナを含み、MIMO送受信システムに動作可能に結合されているが、本発明の範囲はこの形態に限定されない。本発明の一実施例によれば、アンテナ380及び／又は390は1つ以上のアンテナを含む。例えば、アンテナ380及び／又は390は、指向性アンテナ、アンテナアレイ、ダイポールアンテナ等を含んでいてもよい。
【００３４】
本発明の一実施例によれば、無線通信装置300は、必要に応じて、SC装置及び／又はOFDM装置としてミリ波WPANにおいて動作する。例えば、無線通信装置300は次のように動作する。シーケンス生成部310が、例えばプリアンブルパケット200のようなプリアンブルパケットの信号シーケンスを生成する。シーケンス生成部310は、例えば、擬似乱数（PN）シーケンス、ゴレイ（Golay）シーケンス、バーカーコード等のような相互相関シーケンスの反復から、第1のシーケンスを生成する。シーケンス生成部310は、第1のシーケンスを反転（inversion）することで第2のシーケンスを生成し、必要に応じて、相補的ゴレイシーケンスのペアから第3のシーケンスを生成する。変調部340は、必要に応じて、π／2バイナリシフトキーイング（BPSK）変調により第1、第2及び第3のシーケンスを変調する。
【００３５】
送信部370は、シングルキャリア方式の無線装置及び／又はマルチキャリア方式の無線装置の双方に、同一のプリアンブルパケットの信号シーケンスを送信する。例えばプリアンブルパケット200であるプリアンブルパケットは、検出フィールド、SFDフィールド及びチャネル推定フィールドを含む。検出フィールドは第1のシーケンスを含み、第1のシーケンスは、RX360が信号を検出する際に又は周波数オフセット推定に使用される。SFDフィールドは必要に応じて第2のシーケンスを含み、第2のシーケンスは、RX360が送信機による変調方式を検出及び選択するために使用される。チャネル推定フィールドは第3のシーケンスを含み、第3のシーケンスはRX360がチャネルを推定するために使用されるが、本発明の範囲はこの形態に限定されない。
【００３６】
本発明の一実施例によれば、SC装置に送信されるように意図されたプリアンブルパケットは、整形フィルタ330により整形される。例えば、整形フィルタ330は、第1のシーケンス、第2のシーケンス及び第3のシーケンスのうちの少なくとも1つをフィルタリング又はフィルタ処理する。変調部340はプリアンブルパケットを変調し、整形フィルタ330によってフィルタリングされたプリアンブルパケットは、シングルキャリア変調方式により、プリアンブルパケットを変調することができる。
【００３７】
本発明の一実施例によれば、OFDM装置に送信されるように意図されているプリアンブルパケットは、DSP320により処理される。例えば、DSP320は必要に応じて3つの処理ステップを使用する。第1の処理ステップでは、2つのサンプルの間にゼロを2つ挿入し、第1、第2及び第3のシーケンスを3つにより補間することで、プリアンブルパケットの第1、第2及び第3のシーケンスを処理する。第2の処理ステップでは、デシメーションフィルタにより第1、第2及び第3のシーケンスをフィルタリングし、第3の処理ステップでは、第1、第2及び第3のシーケンスを2つ毎にサンプリングし、2の因子によりサンプルをデシメートする。変調部340は、マルチキャリア変調方式にしたがってDSP3202より処理されるプリアンブルパケットを変調するが、本発明の範囲はこの形態に限定されない。
【００３８】
例えば、プリアンブルパケットは、必要に応じて拡散部350により拡散され、TX370及びアンテナ390により送信される。受信装置において、アンテナ380及びRX360は、シングルキャリア受信方式により又はマルチキャリア受信方式により、プリアンブルパケットのシーケンスを受信する。デコーダ340は、必要に応じて第1、第2及び第3のシーケンスをデコード（復号）する。シーケンスをデコードした後、相関の技法により同期がとられる。チャネル推定は、時間領域における相関により、又は送信されたシーケンスの周波数応答特性を周波数領域において分割することにより実行される。同じプリアンブルパケットがSC及びOFDM双方に使用され、プリアンブルは、受信機にとって既知のフィルタを使用してπ／2−BPSKシーケンスをサンプリングすることで規定されることが、理解されるべきである。
【００３９】
図4を参照するに、本発明の一実施例によりパケットプリアンブルを送信する方法のフローチャートが概略的に示されている。本発明の範囲はこの形態に限定されないが、本方法は、プリアンブルシーケンスのフィールドを生成することから始まり、そのプリアンブルシーケンスは、シングルキャリア受信機及び例えばOFDM受信機のようなマルチキャリア受信機の双方が受信するのに適したものである、及び／又はSC受信機及びOFDM受信機双方を有する装置が受信するのに適したものである。
【００４０】
この例の場合、本方法は、信号を検出するための第1のシーケンスを生成し（ブロック400）、チャネルを推定するための第2のシーケンスを生成し（ブロック410）、送信機の変調方式を決定及び選択するための第3のシーケンスを生成する（ブロック420）ことから始まる。
【００４１】
この例の場合、第1のシーケンスは、例えば擬似ランダムシーケンス、ベーカーコード等のような所望の相互相関特性を有するシーケンスを反復することで生成される。第3のシーケンスは第1のシーケンスを反転したものであるが、本発明の範囲はこの形態に限定されない。
【００４２】
本方法は、例えばπ／2バイナリシフトキーイング（BPSK）変調方式により、第1、第2及び第3のシーケンスを変調し（ブロック430）、第1、第2及び第3のシーケンスのうちの少なくとも1つをパルス整形フィルタによりフィルタリングする処理に続く（ブロック440）。
【００４３】
パケットプリアンブルがマルチキャリア受信機により受信されることが想定されていた場合、パケットプリアンブルは、必要に応じて、2つのサンプルの間にゼロを2つ加え、第1及び第2のシーケンスをデシメーションフィルタによりフィルタリングし、第1及び第2のシーケンスを1つおきにサンプリングし、2の因子によりサンプルをデシメートする（ブロック450）。信号シーケンスのパケットプリアンブルは、シングルキャリア無線装置及びマルチキャリア無線装置の双方に送信される（ブロック460）。パケットプリアンブルは、シングルキャリア受信方式により又はマルチキャリア受信方式により受信される（ブロック470）。第1、第2及び第3のシーケンスは、受信機においてデコードされる。本発明の範囲は説明した形態に限定されない。
【００４４】
図5を参照するに、本発明の一実施例によるシステムのブロック図が示されている。本発明の実施例は図示の形態に限定されないが、システム500はコンピュータ510と、メモリ520のようなストレージ媒体とを含む。本発明の一実施例によれば、システム500は、通信装置、送信部、受信部及び／又は他の処理部を含む。コンピュータ510は、DSP、プロセッサ、コントローラ及びその他の処理部を含み、それらはメモリ520に動作可能に結合されている。メモリ520は、プロセッサにより読取可能な媒体及び／又はコンピュータ又はプロセッサのストレージ媒体であり、例えば、メモリ、ディスクドライブ、USBフラッシュメモリ等であり、命令をエンコードし、包含し、又は記憶する。
【００４５】
本発明の一実施例によれば、コンピュータ510はメモリ520に記憶されている命令を実行する。命令が実行されると、本願において説明した方法が実行される。
【００４６】
以上、本発明の特定の特徴が図示及び説明されてきたが、多くの修正例、代替例、変形例及び均等物が当業者にとって明らかであろう。したがって、添付の特許請求の範囲は、そのような修正例及び変形例等の全てを本発明精神の真の範囲内に含むように意図されている。
【図１】
2011530869.tif 000006
【図２】
2011530869.tif 000007
【図３】
2011530869.tif 000008
【図４】
2011530869.tif 000009
【図５】
2011530869.tif 000010
【国際調査報告】
2011530869.tif 000011
2011530869.tif 000012